(57)【要約】【課題】  取付足と竿体との固定強度は巻糸層と接着剤層の存在に依存している。従って、従来品のように滑らかに湾曲した傾斜面が形成されていると、傾斜面と巻糸との摩擦抵抗は比較的小さくなり、しかも固定後には楔効果が接着剤層と竿体の間を切り裂くように働いてしまうため、釣竿を過酷な条件下で使用すると、取付足がずれてしまう。【解決手段】取付足７の足先８に形成された平坦状の傾斜面１３は、左右両側の輪郭を画定する２つのエッジ稜線１７，１９が、側面視で取付足７の上面から竿体３の外周面５に向かって直線状に延びており、外周面５に到達する先端で合流している。エッジ効果などにより巻糸２１の移動が阻止される。【選択図】        図１
2007215497.tif 000002
【特許請求の範囲】
【請求項１】
巻糸によって竿体の外周面に固定される取付足を有する釣竿の付属具において、
前記取付足の足先には傾斜面が形成されており、
前記傾斜面は、左右両側の輪郭を画定する２つのエッジ稜線が、側面視で前記取付足の上面から前記竿体の外周面に向かって直線状に延びており、前記外周面に到達する先端で合流していることを特徴とする釣竿の付属具。
【請求項２】
請求項１記載の釣竿の付属具において、傾斜面は平坦状に形成されていることを特徴とする釣竿の付属具。
【請求項３】
請求項２記載の釣竿の付属具において、傾斜面の傾斜角度は１０〜３０°であることを特徴とする釣竿の付属具。
【請求項４】
請求項１〜３のいずれか記載の釣竿の付属具において、傾斜面は切削加工により形成されていることを特徴とする釣竿の付属具。
【請求項５】
請求項１〜４のいずれかに記載の釣竿の付属具において、付属具は１枚の板状材から一体的に形成されたものであることを特徴とする釣竿の付属具。
【発明の詳細な説明】
【技術分野】
【０００１】
本発明は、巻糸によって竿体の外周面に固定される取付足を有する釣竿の付属具、例えば、導糸環、リールシート、鉤掛け環などの付属具に関するものである。
【背景技術】
【０００２】
図１０に示す従来品の導糸環１０１や上記した付属具は、取付足１０３の足先１０４（即ち、反踵側）に、通常足削り部と呼ばれる、上面が滑らかに湾曲した傾斜面１０５を切削加工により形成した後、使用される。その際、取付足１０３の足先１０４は鋭い楔形状をなしている。
取付足１０３を竿体１０７の外周面１０９に固定する場合には、先ず、巻糸１１１を竿体１０７の外周面１０９に巻き付けて巻糸層１１３を形成し、次に取付足１０３の足先１０４を巻糸層１１３の端面に接触する様に、外周面１０９に押し当て、さらに巻糸１１１を取付足１０３と竿体１０７の外周面１０９に巻き付け、最終的に接着剤を施し固化させて巻糸層１１３と竿体１０７及び取付足１０３とを固定している。
【０００３】
【特許文献１】特許２８３５９０４号公報
【発明の開示】
【発明が解決しようとする課題】
【０００４】
図６−１０１は、従来品の側面図である。この図を例に説明すると、従来品の場合、取付足１０３と竿体１０７との固定強度は巻糸層１１３と接着剤層１１５，１１７の存在に依存している。そのため、上記したように滑らかに湾曲した傾斜面１０５が形成されていると、傾斜面１０５と巻糸１１１との摩擦抵抗は逆に小さくなる。しかも、釣竿を過酷な条件下で使用すると、以下のような問題が顕在化する。
【０００５】
例えば、取付足１０３に、竿軸方向に対して前進または後退する方向に応力が負荷されると、図６従来品−１０１の（２）応力負荷図で示すように、奥側接着剤層１１７が耐え切れずに竿体１０７の外周面１０９から、若しくは取付足１０３の底面から剥離されてしまい、取付足１０３はぐらぐらした状態となる。この状態で、さらに前進方向に応力が負荷されると、足先１０４の楔が接着剤層を剥離するように働いてしまうため、取付足１０３は容易に前進して表側接着剤層１１５を切り裂き、終には巻糸層１１３及び表側接着剤層１１５を貫通し、即ち突き破ってその上に乗り上げ露出してしまう。そこまで至ると、そこから水が入ったり、露出した金属材が腐食したりするなどして、釣竿の寿命が短くなる。
また、さらに横方向に捻り応力が負荷されると、図７の従来品−１０１の欄で示すように、足削り部の断面は略蒲鉾形である為、同様に接着剤層を剥離するように働き、容易に横方向にズレてしまう。ズレが大きいと、もはや使用不可となる。
さらに、図６−１０１（３）曲げ負荷図に示す様に、取付足１０３の踵から最も遠い部分である足先１０４と竿体１０７の外周面１０９とで画定される段差部１１８は最も曲げ負荷に弱い箇所であり、そこにくり返し曲げ負荷を受けると、表側樹脂層１１５にクラックが容易に生ずる。そのクラックが取付足１０３を構成する金属材にまで至ると、そこから水が入ったり、露出した金属材が腐食したりするなどして、釣竿の寿命が短くなる。
また、従来品では、足削りの面積が大きい為、切削加工をすると摩擦熱が発生し、発熱によって素材表面が変質し、耐蝕性が低下する問題も有った。
更に、傾斜面１０５を大きく形成した場合、割れ目１２にまで、その傾斜面が到達してしまい、取付足７が左右に分離して使用不可となる様なケースも有った。
【０００６】
前記した特許文献１では、傾斜面の先端に肉厚が薄い先端巻糸部を設けることで巻糸の迅速な巻き付けを可能としているが、先端巻糸部を設けても、釣竿の使用中に、上記した問題は同様に発生しうる。
【０００７】
それ故、本発明は、上記した問題の発生を効果的に回避できる、形状の工夫された傾斜面が形成された取付足を有する付属具を提供することを目的とする。
【課題を解決するための手段】
【０００８】
上記課題を解決するために、傾斜面の形状を鋭意研究の結果、上記した固定強度に関する問題だけでなく、従来から認識されていた複数の問題をも同時に解決できる形状を案出するに至ったので、以下に記載する。
請求項１の発明は、巻糸によって竿体の外周面に固定される取付足を有する釣竿の付属具において、前記取付足の足先には傾斜面が形成されており、前記傾斜面は、左右両側の輪郭を画定する２つのエッジ稜線が、側面視で前記取付足の上面から前記竿体の外周面に向かって直線状に延びており、前記外周面に到達する先端で合流していることを特徴とする釣竿の付属具である。
【０００９】
請求項２の発明は、請求項１記載の釣竿の付属具において、傾斜面は平坦状に形成されていることを特徴とする釣竿の付属具である。
【００１０】
請求項３の発明は、請求項２記載の釣竿の付属具において、傾斜面の傾斜角度は１０〜３０°であることを特徴とする釣竿の付属具である。
【００１１】
請求項４の発明は、請求項１〜３のいずれか記載の釣竿の付属具において、傾斜面は切削加工により形成されていることを特徴とする釣竿の付属具である。
【００１２】
請求項５の発明は、請求項１〜４のいずれかに記載の釣竿の付属具において、付属具は１枚の板状材から一体的に形成されたものであることを特徴とする釣竿の付属具である。
【発明の効果】
【００１３】
本発明の釣竿の付属具によれば、取付足に形成された傾斜面の特異的な形状により、取付足に巻糸を巻き付ける際の不都合を犠牲にすることなく、取付足と竿体との固定強度が高められている。さらに、クラックの発生防止など、他の効果も同時に奏する。
【発明を実施するための最良の形態】
【００１４】
本発明の第１の実施の形態に係る釣竿の付属具の一例としての導糸環１を、図面に従って説明する。
図１に示すように、導糸環が竿体３の外周面５に取り付けられ固定されている。
上記した導糸環１は、１枚の金属製の平らな板状材から一体的に形成されている。先ずプレス加工により所定のフレーム形状に打ち抜かれ、更に曲げ加工が施されて所定の立体形状に成形されている。
【００１５】
この導糸環１では、竿体３の外周面５に、竿軸方向に直列に取付足７，９が取り付けられて固定される。取付足７，９はそれぞれ、上面から見ると先細りの舌辺に似た状をなしている。左右両側の側面は、プレス加工による打ちぬき面がそのまま表出しており、板状材の厚みに略対応した急勾配の壁面１１となっている。因みに、符号１２は割れ目を示し、この割れ目１２は１枚の金属製の平坦的な板状材から無駄なく一体的に形成したが故に生じたものである。
取付足７，９の足先８，１０には傾斜面１３，１５がそれぞれ形成されている。傾斜面１３，１５の形状的特徴は共通するので、以下、代表して取付足７の傾斜面１３について説明する。
【００１６】
傾斜面１３は略平坦状に形成されており、この傾斜面１３は工具を使った切削加工により形成されている。傾斜面１３は上面からみると略三角形をなしている。
符号１７，１９は２つのエッジ稜線を示し、（竿軸方向に対して）傾斜面１３の左右両側の輪郭を画定している。
この２つのエッジ稜線１７，１９は、略左右対称に取付足７の上面からそれぞれ竿体３の外周面５に向かって下方に延びており、外周面５に到達する先端で合流している。
【００１７】
図２は取付足７が竿体３の外周面５に載せられた状態を、側面視、即ち横方向から見た図である。この図に示すように、エッジ稜線１７は直線状に延びており、しかも取付足７の上方の輪郭をなしている。即ち、取付足７の左右両側部分には、急勾配の壁面１１がそのまま残されている。
傾斜面１３の傾斜角度（θ）は１０〜３０°の範囲で任意の値に設定されており、従来の足削部設定の基準から言えば、かなりの急勾配に設定されている。
図３は取付足７が竿体３の外周面５に載せられた状態を、竿軸方向から見た断面図である。この図に示すように、エッジ稜線１７，１９は外側を向いたエッジ稜線として傾斜面１３の左右端部にそれぞれ存在している。
【００１８】
図４は固定状態を横方向からみた図であり、図５は固定状態を竿軸方向から見た図である。
取付足７が竿体３の外周面５に載せられ、巻糸２１が巻き付けられて巻糸層２３が形成され、さらに接着剤が塗布され固化されることで接着剤層２５，２７が形成され、最終的に取付足７が竿体３の外周面５に固定されたことになる。
接着剤層は、表側接着剤層２５が巻糸層２３を上から覆うように形成されるだけでなく、奥側接着剤層２７が取付足７の底面と竿体３の外周面５との間にも流体状態の段階で浸入し固化して形成される。
【００１９】
以下に、導糸環１が備える取付足７の奏する効果を説明する。
（１）固定強度の更なる向上
図４・図５に示す様に、巻糸２１が取付足７の傾斜面１３と竿体３と両方に掛かっている状態では、巻糸２１は傾斜面１３上ではその面に載った状態で存在するが、エッジ稜線１７，１９で急勾配に壁面１１側に屈曲されて竿体３の外周面５に到達している。その際、２つのエッジ稜線１７，１９が巻糸２１に対して言わば摩擦結合状態となっており、巻糸層２３に対する取付足７の前後方向のズレや移動を阻止している。
また、図４．５に示す様に、傾斜面１３の傾斜角度（θ）は大きく、しかも取付足７の側面には急勾配の壁面１１が残っているので、即ち取付足７の足先は鋭い楔形状にはなっていないので、応力が負荷されても、表側接着剤層２５は簡単には切り裂かれない
【００２０】
さらに、図４・５に示す様に、接着剤層２５，２７は流体状の接着剤を塗布して固化して形成しており、取付足７の壁面１１と竿体３の外周面５とで画定される側方段差部２８と、取付足７の傾斜面１３と竿体３の外周面５とで画定される先方段差部３０の段差は図６従来品−１０１より大きくなっているので、接着剤が塗布されると、表面張力作用により、それぞれの段差部２８，３０を埋めるように接着剤の大きな溜まり部２９，３１が形成される。
特に、側方段差部２８の段差は大きいので、側方接着剤溜まり部２９が大きく形成されることになる。側方接着剤溜まり部２９は取付足７の左右両側に形成されるので、取付足７に横方向から捻り応力が負荷されても、左右の側方接着剤溜まり部２９が言わば土手として存在しており、取付足７の横方向へのズレを阻止している。
以上の複合的効果により、釣竿の使用時に、導糸環に前後方向や横方向から応力が負荷されても、図６、図７に示すように、本発明品（即ち、導糸環１）に関しては、高い固定強度により、取付足７が竿体３の外周面３に安定的に固定されており、ズレなどが発生することを効果的に防止する。
【００２１】
（２）接着剤層のクラックの発生の阻止  
図４に示す様に先方段差部３０の段差（即ち、傾斜面１３の傾斜角度（θ））は従来品１０１より大きくなっているので、接着剤が塗布されると、表面張力作用により、その段差部３０を埋めるように接着剤の大きな先方接着剤溜まり部３１が形成されている。
先方段差部３０は、取付足７の踵から最も遠い部分と竿体３の外周面５とで画定される部分で、最もくり返し曲げ負荷に弱い箇所であるが、その上には大きい（即ち、厚みのある）先方接着剤溜まり部３１が形成されているので、そこにくり返し曲げ負荷を受けても、図６本発明１−（３）曲げ負荷図に示すように、本発明品に関しては、先方接着剤溜まり部３１（即ち、表側接着剤層２５）にクラックは生じ難く、またクラックが生じても貫通する可能性は殆ど無い。
【００２２】
（３）巻糸の巻付け時の作業性
図１に示す様に取付足７の足先８は楔形状になっていない。
足先８から巻糸２１で、外周面５に導糸環１を取付ける際、傾斜面１３が急勾配だと、特にラッピング圧のコントロールが上手くない初心者では、巻糸２１が傾斜面１３上にさしかかると、巻糸２１が斜面上を滑落し易い問題があった。しかし本発明の場合、２つのエッジ稜線１７，１９の角が巻糸２１に食い付き、言わば摩擦結合されるので、巻糸２１の滑落が阻止され、初心者でもスムーズに巻糸２１を巻き付けることができる。
特に、傾斜面１３の傾斜角度（θ）を大きくすれば、傾斜面１３の竿軸方向の長さが短くなるので傾斜面１３上での巻糸２１の巻回数が少なくなり、巻糸２１の滑落の可能性はより低くなる。
さらに、取付足７は楔形状になっていないために、作業者の手や竿体３を傷つける危険性が少なくなる利点もある。
【００２３】
（４）傾斜面形成時の作業性など
本発明の場合、図１に示す様に、取付足７に傾斜面１３が形成されても壁面１１が残されているので、図６、７に示す従来品１０１より切削面積は小さい。特に、傾斜面１３の傾斜角度（θ）を急勾配に設定した場合には切削面積はより小さくなる。従って、加工時間も短縮され、当然ながら切削に伴う発熱による素材の変質は従来品−１０１より抑えられる。
また、傾斜面１３は単純に単一の急勾配の平坦状に形成すればよいので、削りすぎにより図１に示す割れ目１２にまで到達するようなことはない。因みに、傾斜面１３が割れ目１２まで到達すると、取付足７が左右に分かれてしまい、使用不可となる様なケースも発生する。
【００２４】
本発明の第２の実施の形態に係る釣竿の付属具の一例としての導糸環３３を図８に従って説明する。
この導糸環３３の取付足３５の上面には、スパイク効果を狙って滑り止め用エンボス加工部３７が形成されている。傾斜面３９はこのエンボス加工部３７を削って形成されている。傾斜面３９の形状は第１の実施の形態に係る傾斜面１３と同じである。
傾斜面３９は傾斜面１３と同様に急勾配で形成されており、エンボス加工部３７の削り取り面積を最小限に抑えている。
【００２５】
以上、本発明の実施の形態を説明したが、本発明の具体的構成は上記の実施の形態に限定されるものではなく、本発明の要旨から外れない範囲での設計変更があっても本発明に含まれる。
例えば、上記の実施の形態では側支脚用の取付足は単一のものであり、一対の側支脚の先端が左右両側から取付足に移行しているが、一対の側支脚に対応して一対の取付足を設け、それぞれの取付足を竿体の左右両側の外表面に当接させてもよい。例えば、図９に示すような形状の取付足４１，４３，４５を備えたものであっても、それぞれ傾斜面４２，４４，４６を形成すれば、本発明の範囲に含まれる。
【００２６】
導糸環用フレームや、リールシート、鈎掛け環等の釣竿用付属具は、現在のところは大部分が金属製の板材フレームからプレス加工等により一体的に形成されているが、本発明は形状に特徴を有するものであるから、別の製法、例えば鋳造、鍛造、ロストワックス、ＭＩＭ等によるものでもよいし、また、導糸環用フレームを構成するリング保持部等の各部位を２以上の部材により形成してもよい。
いずれにしても、特許請求されている形状等を除いては、従来からあるまたは将来案出される形状や製造を任意に組み合わせることができる。
【産業上の利用可能性】
【００２７】
本発明に係る釣竿の付属具によれば、取付足と竿体の固定強度・接着剤層のクラックの発生・巻糸の巻付け時の作業性・傾斜面形成時の作業性などの複数の課題を高いバランスで同時に解決した画期的なものであり、厳しいユーザーの総合的な要求に答えることに成功している。
【図面の簡単な説明】
【００２８】
【図１】本発明の第１の実施の形態に係る釣竿の導糸環の斜視図である。
【図２】図１の導糸環を釣竿に取り付けたときの、竿軸方向に対する側視図である。
【図３】図１の導糸環を釣竿に載置したときの、竿体の横方向に対する図である。
【図４】図１の導糸環を釣竿に最終的に固定したときの、竿軸方向に対する側視図である。
【図５】図１の導糸環を釣竿に最終的に固定したときの、竿体の横方向に対する図である。
【図６】図１の導糸環の奏する効果の説明図である。
【図７】図１の導糸環の奏する効果の説明図である。
【図８】本発明の第２の実施の形態に係る釣竿の導糸環の斜視図である。
【図９】その他の本発明の実施の形態に係るの斜視図である。
【図１０】従来品の釣竿の導糸環の斜視図である。
【符号の説明】
【００２９】
１‥‥導糸環                        ３‥‥竿体
５‥‥外周面                        ７，９‥‥取付足
８，１０‥‥足先                    
１１‥‥壁面                        １２‥‥割れ目
１３，１５‥‥傾斜面                １７，１９‥‥エッジ稜線
２１‥‥巻糸                        ２３‥‥巻糸層
２５‥‥表側接着剤層                ２７‥‥奥側接着剤層
２８‥‥側方段差部                  ３０‥‥先方段差部
２９‥‥側方接着剤溜まり部          ３１‥‥先方接着剤溜まり部
３３‥‥導糸環                      ３５‥‥取付足
３７‥‥廻り止めエンボス加工部              ３９‥‥傾斜面
４１，４３，４５‥‥取付足          ４２，４４，４６‥‥傾斜面 
【図１】
2007215497.tif 000003
【図２】
2007215497.tif 000004
【図３】
2007215497.tif 000005
【図４】
2007215497.tif 000006
【図５】
2007215497.tif 000007
【図６】
2007215497.tif 000008
【図７】
2007215497.tif 000009
【図８】
2007215497.tif 000010
【図９】
2007215497.tif 000011
【図１０】
2007215497.tif 000012